(57)【要約】      （修正有）【課題】繰り返し使用されるための配送用箱として、強度も十分で蓋の開閉や運搬等の取り扱いも容易となり、しかも返却時にコンパクトに少ない手間で折り畳み込むことができる。【解決手段】配送用箱は角筒状としたボール紙製箱本体の上面開口縁に一部が重合する蓋用フラップを一体に備え、底面フラップはその直交する二縁を本体に固着した遊動片とし、その固着側の一角から斜方向に折り込み部を形成し、かつ、前記底面フラップの外方に、その底面フラップと対向する二縁を本体に固着した三角状の第二底面フラップを備え、その第二底面フラップにも固着側の一縁から斜方向に折り込み部を形成している。【選択図】図４
0003126810.tif 000002
【実用新案登録請求の範囲】
【請求項１】
角筒状としたボール紙製箱本体の上面開口縁に一部が重合する蓋用フラップを一体に備え、底面フラップはその直交する二縁を本体に固着した遊動片とし、その固着側の一角から斜方向に折り込み部を形成し、かつ、前記底面フラップの外方に、その底面フラップと対向する二縁を本体に固着した三角状の第二底面フラップを備え、その第二底面フラップにも固着側の一縁から斜方向に折り込み部を形成してあることを特徴とする配送用箱。
【請求項２】
前記した蓋用フラップの重合部及び底面フラップと第二底面フラップの折り込みによる重合部には面状ファスナーが設けられていることを特徴とする請求項１に記載の配送用箱。
【請求項３】
前記した蓋用フラップの重合時に外側となる部分の表面には書類収納ポケットが備えられていることを特徴とする請求項１または請求項２に記載の配送用箱。
【請求項４】
前記したボール紙製箱本体の各コーナーは少なくとも補強帯及び鋲打ちが施されていることを特徴とする請求項１、請求項２または請求項３に記載の配送用箱。
【請求項５】
前記したボール紙製箱本体の外側面には取っ手が設けられていることを特徴とする請求項１、請求項２、請求項３または請求項４に記載の配送用箱。
【考案の詳細な説明】
【技術分野】
【０００１】
本考案は配送用箱、特に強靭な厚手のボール紙で成形され、内容物特に販売促進媒体を収容して相手先に配送し、その内容物を取り出した後に、送り主側に返却されることで、繰り返しの使用を行うための配送用箱（通称通い箱）に関する。
【背景技術】
【０００２】
従来、上記のような目的をもって使用される箱は存在しているが、この従来使用される箱は段ボール製で、蓋と底面にフラップを備え、テープや金具等で止着するものとなっている。
【０００３】
しかしながら、この従来の段ボール箱は強度的に問題があり、また、蓋の開閉や運搬等の取り扱いも不便で、さらに、送り主側への返却時に折り畳む作業も面倒で、かつ折り畳んでも復元方向に拡がり容積が嵩張るため、束ねる等の作業も要求されるものとなっていた。
【特許文献１】実開昭６３−３２１２２号公報
【考案の開示】
【考案が解決しようとする課題】
【０００４】
本考案が解決しようとする問題点は、従来、返却されることを前提とし、繰り返し使用されるための配送用箱として、強度も十分で蓋の開閉や運搬等の取り扱いも容易となり、しかも返却時にコンパクトに少ない手間で折り畳み込むことができるというものが存在していなかったという点である。
【課題を解決するための手段】
【０００５】
前記した問題点を解決するために、本考案に係る配送用箱は角筒状としたボール紙製箱本体の上面開口縁に一部が重合する蓋用フラップを一体に備え、底面フラップはその直交する二縁を本体に固着した遊動片とし、その固着側の一角から斜方向に折り込み部を形成し、かつ、前記底面フラップの外方に、その底面フラップと対向する二縁を本体に固着した三角状の第二底面フラップを備え、その第二底面フラップにも固着側の一縁から斜方向に折り込み部を形成してあることを特徴としている。
【０００６】
また、本考案に係る配送用箱は前記した蓋用フラップの重合部及び底面フラップと第二底面フラップの折り込みによる重合部には面状ファスナーが設けられていることを特徴とし、前記した蓋用フラップの重合時に外側となる部分の表面には書類収納ポケットが備えられていることを特徴とし、前記したボール紙製箱本体の各コーナーは少なくとも補強帯及び鋲打ちが施されていることを特徴とし、前記したボール紙製箱本体の外側面には取っ手が設けられていることを特徴としている。
【考案の効果】
【０００７】
本考案に係る配送用箱は上述のように構成されている。そのため、衝撃や水気に対しても強いものとなり、面状ファスナーや取っ手の存在により、開閉や運搬作業も容易で取り扱い易いものとされている。
【０００８】
また、底部の独特な構成によって折り畳みが容易で、その折り畳んだ形態がコンパクトなものとなり、返却時の作業も非常に行ない易くなり、労力的、時間的に多大なメリットを得ることができるものとなっている。
【考案を実施するための最良の形態】
【０００９】
図面として示す実施例のように構成することで実現した。
【実施例１】
【００１０】
次に、本考案の好ましい実施の一例を図面を参照して説明する。図１は本考案を実施した配送用箱の閉蓋状態の斜視図、図２は同じく蓋用フラップを開けた状態の斜視図、図３は同じく底面方向から見た斜視図、図４は同じく底面フラップと第二底面フラップを折り込み、平行四辺形に変形した折り畳み作業途中の斜視図、図５は同じく折り畳んだ状態の斜視図、図６は第一の蓋用フラップと底面フラップとを示す展開図、図７は同じく蓋用の短辺フラップと折り曲げ代及び補強帯を示す展開図、図８は同じく第二の蓋用フラップと第二底面フラップとを示す展開図である。
【００１１】
これらの図にあって１は配送用箱本体を示しており、この配送用箱本体１は全体が略２ｍｍ厚の強靭なボール紙で成形され、組立時に直方体を形成するものとなっている。２、２は長辺側壁３、３は短辺側壁を示しており、この短辺側壁３、３には折り曲げ代３ａ、３ａ及び３ｂが備えられており、この折り曲げ代３ａ、３ａを長辺側壁２、２の外面に対し折り曲げ重ね、鋲４、４‥を打ち、コーナーを強固な構成としてある。加えて、このコーナーには屈曲させる補強帯５、５‥を重ねて配し、やはり鋲４、４‥を打ち強化してある。尚、折り曲げ代３ｂ、３ｂは後述する底面フラップと第二底面フラップの短縁を固定止着する。
【００１２】
また、前記した短辺側壁３、３の略中央にはプラスチック製の指を掛けて使用する取っ手６、６が嵌め付け固定されて備えられている。
【００１３】
さらに、前記した長辺側壁２、２の一方の上端縁には第一蓋体フラップ７ａ、他方には第二蓋体フラップ７ｂが各々一体に折り曲げ可能に備えられている。短辺側壁３、３の各々の上端縁にも短辺フラップ８、８が一体に折り曲げ可能に備えられている。これらの各フラップ７ａ、７ｂ、８、８はいずれも配送用箱本体１の上面開口側に向かって折り曲げられ、この開口を閉塞する蓋を形成し、短辺フラップ８、８は第一蓋体フラップ７ａと第二蓋体フラップ７ｂとの重なりのみでは短辺側壁３、３の上部に隙間ができてしまい、内容物がこぼれてしまうことを防止する役目を行う。
【００１４】
前記した第一蓋体フラップ７ａの先端側裏面と、第二蓋体フラップ７ｂの先端側表面には等ピッチの配置で面状ファスナー９、９‥が備えられ、その重合時にこの面状ファスナー９、９‥の作用で第一蓋体フラップ７ａと第二蓋体フラップ７ｂは止着位置決めされる。従ってこの面状ファスナー９、９‥の存在により、従前のようにテープや止め金具等の要素と、それを施すための作業は一切不要とされる。また、第一の蓋体フラップ７ａの表面一部には収容物の内容明細カード等の伝票を入れておくための透明なポケット１５が設けられている。
【００１５】
一方、配送用箱本体１の底部には一方の長辺側壁２の下端縁から一体に折り曲げられ、一方の短辺側壁３の下端の折り曲げ代３ｂを外側に重合し、鋲４、４‥で補強止着された底面フラップ１０が一体に備えられているもので、この底面フラップ１０の他の二辺は遊端とされている。そして、この底面フラップ１０の長辺側壁２と短辺側壁３とにより固定された二辺の一隅からは略４５度の角度をもって配送用箱本体１の内側へ向かって山折りされる折り込み部１１が形成されている。さらに、この底面フラップ１０の遊端側の裏面左右には大判の面状ファスナー１２と、前記した面状ファスナー９と同サイズの面状ファスナー９ａが備えられている。
【００１６】
また、他方の長辺側壁２の下端縁から一体に折り曲げられ、他方の短辺側壁３の下端の折り曲げ代３ｂを外側に重合し、鋲４、４‥で補強止着された直角三角形状をした第二底面フラップ１３が、前記した底面フラップ１０の外側に重合するように備えられている。この第二底面フラップ１３にはその直角部から斜辺に向けた略４５度の折り曲げ部１４が形成され、この折り曲げ部１４も配送用箱本体１の内側に向かって山折りされるものとされ、この第二底面フラップ１３と前記底面フラップ１０により、配送用箱本体１の底面開口を閉塞した状態で前記折り込み部１４は底面フラップ１０の折り込み部１１と平行状態となるものとされている。さらに、この第二底面フラップ１３の最鋭角近傍の外面には大判の面状ファスナー１２ａが、また、直角部近傍の長辺側壁２寄りには面状ファスナー９ａと同サイズの面状ファスナー９ｂが備えられている。
【００１７】
本実施例に係る配送用箱本体１は上記のように構成されている。ここで、この組み立て及び返却時の折り畳みに関する作用について説明する。まず、箱として内容物を収納可能に組み立てるには第二底面フラップ１３の折り込み部１４と底面フラップ１０の折り込み部１１とをのばして平滑とし、面状ファスナー９ａと９ｂとを接合して底部を固定形成する。次いで内部に収納物を入れ、短辺フラップ８、８を折り曲げ、蓋体フラップ７ｂ、７ａの順に折り曲げ重合させ、面状ファスナー９、９‥同士を接合させて蓋としての閉塞も完了する。
【００１８】
また、この配送用箱本体１を返却するについては、蓋体フラップ７ａ、７ｂ及び短辺フラップ８、８を開放し、上面開口を開けた状態として反転させ、底面フラップ１０及び第二底面フラップ１３の各折り込み部１１及び１４の外側部分を押圧してやると、その押圧力によって面状ファスナー９ａと９ｂの接合が離れ、次いで折り込み部１１及び１４が同時に折り込まれていく。これは図４に示す矢印方向への加圧力が加えられた結果となって長辺側壁２、２及び短辺側壁８、８が徐々に平行四辺形に変形し、最終的に図５として示すように偏平に折り畳まれる。この状態で大判の面状ファスナー１２、１２ａが接合し、この偏平状態を保持し、拡開してしまうことを防止する。
【産業上の利用可能性】
【００１９】
本実施例としての配送用箱は上記のように構成される。この箱は配送用として返却を前提として繰り返し使用するものであるが、特に返却を要せずとも保存しておき、その都度の発送とするものとしてもよいし、形状的にも直方体のみならず立方体でも実施可能である。さらには材質もボール紙以外のものでも可能である。加えて、色彩や模様等のデザインも自由に施せるので、目的ごとに使い分けすること等も可能となり、面状ファスナーもホック釦等で代替することもできる。
【図面の簡単な説明】
【００２０】
【図１】本考案を実施した配送用箱の閉蓋状態の斜視図である。
【図２】蓋用フラップを開けた状態の斜視図である。
【図３】底面方向から見た斜視図である。
【図４】底面フラップと第二底面フラップを折り込み、平行四辺形に変形した折り畳み作業途中の斜視図である。
【図５】折り畳んだ状態の斜視図である。
【図６】第一の蓋用フラップと底面フラップとを示す展開図である。
【図７】蓋用の短辺フラップと折り曲げ代及び補強帯を示す展開図である。
【図８】第二の蓋用フラップと第二底面フラップとを示す展開図である。
【符号の説明】
【００２１】
１    配送用箱本体
２    長辺側壁
３    短辺側壁
３ａ  折り曲げ代
３ｂ  折り曲げ代
４    鋲
５    補強帯
６    取っ手
７ａ  蓋体フラップ
７ｂ  蓋体フラップ
８    短辺フラップ
９    面状ファスナー
９ａ  面状ファスナー
９ｂ  面状ファスナー
１０  底面フラップ
１１  折り込み部
１２  面状ファスナー
１２ａ  面状ファスナー
１３  第二底面フラップ
１４  折り込み部
１５  ポケット
【図１】
0003126810.tif 000003
【図２】
0003126810.tif 000004
【図３】
0003126810.tif 000005
【図４】
0003126810.tif 000006
【図５】
0003126810.tif 000007
【図６】
0003126810.tif 000008
【図７】
0003126810.tif 000009
【図８】
0003126810.tif 000010